(57)【要約】【課題】  半導体装置の小型化を図る。【解決手段】  半導体装置は、第１の面に電子部品の電極に接続される電極パッドが複数設けられ、第１の面の反対面となる第２の面に電子部品の電極に接続される電極パッド及び外部電極端子が複数設けられ、外部電極端子及び電極パッドは必要に応じて配線によって電気的に接続されており、かつ第１の面の周縁には前記周縁に沿ってグランド層が設けられてなる配線基板と、配線基板の第１の面及び前記第２の面に電極を介して前記電極パッドに接続される少なくとも一つの電子部品と、配線基板の第１の面に接続される電子部品を覆うように配線基板に接着剤を介して固定される一面が開口した箱状のキャップとを有し、キャップの開口端面は前記グランド層に対面し、前記接着剤はグランド層の表面とキャップの開口端面との間に介在されている構造になっている。キャップの外周縁から配線基板の外周縁に至る距離は０・５ｍｍ以下である。【選択図】        図４
2006245396.tif 000002
【特許請求の範囲】
【請求項１】
第１の面に電子部品の電極に接続される電極パッドが複数設けられ、前記第１の面の反対面となる第２の面に電子部品の電極に接続される電極パッド及び外部電極端子が複数設けられ、前記外部電極端子および前記電極パッドは必要に応じて配線によって電気的にそれぞれ接続されており、かつ前記第１の面の周縁には前記周縁に沿ってグランド層が設けられてなる配線基板と、
前記配線基板の前記第１の面及び前記第２の面に電極を介して前記電極パッドに接続される少なくとも一つの電子部品と、
前記配線基板の前記第１の面に接続される前記電子部品を覆うように前記配線基板に接着剤を介して固定される一面が開口した箱状のキャップとを有し、
前記キャップの開口端面は前記グランド層に対面し、前記接着剤は前記グランド層の表面と前記キャップの開口端面との間に介在されていることを特徴とする半導体装置。
【請求項２】
前記配線基板は四角形であり、前記キャップは四角形の箱であり、前記キャップの少なくとも１隅は前記四角形の隣接する２辺にそれぞれ交差する平坦な面取面で形成されていることを特徴とする請求項１に記載の半導体装置。
【請求項３】
前記配線基板の縁には二つ以上の窪みが設けられ、
前記キャップには前記窪みに対応する突起が設けられ、
前記キャップは前記突起を前記窪みに嵌合させて固定されていることを特徴とする請求項１に記載の半導体装置。
【請求項４】
前記配線基板の前記第１の面に前記キャップを固定しても目視できる方向識別用マークが設けられていることを特徴とする請求項１に記載の半導体装置。
【請求項５】
前記キャップの外周縁から前記配線基板の外周縁に至る距離が０．２ｍｍ〜０．５ｍｍ以下であることを特徴とする請求項１に記載の半導体装置。
【請求項６】
前記電子部品の一部は一面に複数の電極を有する半導体チップであり、前記電子部品の一部は両端に電極を有するチップ型電子部品であることを特徴とする請求項１に記載の半導体装置。
【請求項７】
前記配線基板の第１の面に接続される前記電子部品において、背の高い前記電子部品に対応する前記キャップ部分には開口が設けられ、前記背の高い電子部品の一部は前記開口内に位置していることを特徴とする請求項１に記載の半導体装置。
【請求項８】
前記キャップは導電体からなり、前記接着剤は導電性接着剤であることを特徴とする請求項１に記載の半導体装置。
【請求項９】
前記外部電極端子は突起電極であることを特徴とする請求項１に記載の半導体装置。
【請求項１０】
半導体装置の製造方法であって、
（ａ）第１の面に電子部品の電極に接続される電極パッドが複数設けられ、前記第１の面の反対面となる第２の面に電子部品の電極に接続される電極パッド及び外部電極端子が複数設けられ、前記外部電極端子及び前記電極パッドは必要に応じて配線によって電気的にそれぞれ接続されており、かつ前記第１の面の周縁には前記周縁に沿ってグランド層が設けられてなる配線基板を準備する工程と、
（ｂ）前記配線基板の前記第１の面及び前記第２の面に、前記電極パッドに電極を接続することによって少なくとも一つの電子部品をそれぞれ接続する工程と、
（ｃ）一面が開口した箱状の導電体からなるキャップの開口端面を前記グランド層に対面させ、この対面間に予め介在させる導電性の接着剤で前記キャップを前記配線基板に固定して前記配線基板の前記第１の面に接続される前記電子部品を覆う工程とを有することを特徴とする半導体装置の製造方法。
【請求項１１】
前記工程（ｃ）の後、（ｄ）前記外部電極端子に重ねて突起電極を形成する工程を有することを特徴とする請求項１０に記載の半導体装置の製造方法。
【請求項１２】
前記キャップの外周を構成する辺から前記配線基板の外周を構成する辺との間隔を０．２ｍｍ〜０．５ｍｍ以下に形成することを特徴とする請求項９に記載の半導体装置の製造方法。
【請求項１３】
半導体装置の製造方法であって、
（ａ）第１の面及び前記第１の面の反対面となる第２の面を有し、かつ製品形成部がマトリックス状に配列された配線母基板を準備する工程を有し、
前記製品形成部は、前記配線母基板の枠部から延在する複数の支持片に支持された四角形の配線基板となり、前記配線基板は、第１の面に電子部品の電極に接続される電極パッドが複数設けられ、前記第１の面の反対面となる第２の面に電子部品の電極に接続される電極パッド及び外部電極端子が複数設けられ、前記外部電極端子及び前記電極パッドは必要に応じて配線によって電気的にそれぞれ接続されており、かつ前記第１の面の周縁には前記周縁に沿ってグランド層が設けられる構造となり、
（ｂ）前記各製品形成部に対して、前記第１の面及び前記第２の面に、前記電極パッドに電極を接続することによって少なくとも一つの電子部品をそれぞれ接続する工程と、
（ｃ）前記各製品形成部に対して、一面が開口した箱状の導電体からなるキャップの開口端面を前記グランド層に対面させ、この対面間に介在させる導電性の接着剤で前記キャップを前記配線基板に固定して前記配線基板の前記第１の面に接続される前記電子部品を覆う工程と、
（ｄ）前記各製品形成部に対して、前記外部電極端子に重ねて突起電極を形成する工程と、
（ｅ）前記各製品形成部に対して、前記支持片を切断して前記配線基板を個片化する工程とを有することを特徴とする半導体装置の製造方法。
【請求項１４】
前記工程（ｃ）において、前記キャップの開口端面に前記接着剤を塗布し、または前記グランド層の表面に前記接着剤を塗布し、その後前記キャップを前記配線基板に重ねた後、少なくとも前記接着剤部分を一時的に加熱処理し、前記キャップを前記配線基板に固定することを特徴とする請求項１３に記載の半導体装置の製造方法。
【請求項１５】
前記製品形成部の前記配線基板の縁に二つ以上の窪みを設けるとともに、この窪みに嵌合する突起を前記キャップに設けておき、前記キャップを前記製品形成部に固定する際、前記キャップの前記突起を前記窪みに嵌合させて前記キャップを固定することを特徴とする請求項１３に記載の半導体装置の製造方法。
【請求項１６】
前記製品形成部の前記配線基板の前記第１の面に前記キャップを固定しても目視できる方向識別用マークを設けておき、前記キャップの固定時には前記マークを基準にして前記キャップの位置を決定し、その後前記接着剤で前記キャップを前記配線基板に固定することを特徴とする請求項１３に記載の半導体装置の製造方法。
【請求項１７】
前記各製品形成部において、前記キャップの外周を構成する辺から前記配線基板の外周を構成する辺との間隔を０．２ｍｍ〜０．５ｍｍ以下に形成することを特徴とする請求項１３に記載の半導体装置の製造方法。
【請求項１８】
前記各製品形成部の前記第１の面及び第２の面に接続する前記電子部品は、一面に複数の電極を有する半導体チップや両端に電極を有するチップ型電子部品であることを特徴とする請求項１３に記載の半導体装置の製造方法。
【発明の詳細な説明】
【技術分野】
【０００１】
本発明は半導体装置及びその製造方法に係わり、特に、半導体装置の小型化に適応して有効な技術に関する。
【背景技術】
【０００２】
トランジスタ等の能動素子を組み込んだ半導体チップ（電子部品）、抵抗やコンデンサ等の受動素子を組み込んだチップ型電子部品をそれぞれ配線基板に搭載した半導体装置の一例として、混成集積回路装置が知られている。
この混成集積回路装置は、例えば、携帯電話や無線ＬＡＮ等に組み込まれて使用されている（例えば、非特許文献１参照）。
【０００３】
【非特許文献１】http://www.alps.co.jp/j/press/new2004/0518_j.htm、プレスリリース//IEEE802.11b 用通信モジュール「UGGZシリーズ」を開発／新製品／、１／２及び２／２ページ。
【発明の開示】
【発明が解決しようとする課題】
【０００４】
通信モジュール等を構成する半導体装置（混成集積回路装置）の一つの構造は、前記文献で示すように、配線基板（モジュール基板）と、この配線基板の上面に固定されるキャップとを有する構造からなっている。配線基板の上面には半導体チップ（電子部品）やチップ型電子部品が搭載されるとともに、これら電子部品はキャップで覆われている。また、配線基板の下面にバンプ電極等の外部電極端子が設けられている。
【０００５】
図１６は本発明に先立って検討した半導体装置（混成集積回路装置）８０の一部を示す模式的断面図である。配線基板（モジュール基板）８１の上面には一面が開口した箱型のキャップ８２が、開口面側を配線基板８１に対面するように重ねられ、かつ接着剤８３によって配線基板８１に固定されている。配線基板８１の上面に搭載された図示しない半導体チップを含む電子部品はキャップ８２に覆われている。
【０００６】
図１６は半導体装置１の右端部分を示す図である。配線基板８１の上面には部分的に導体層８４が形成され、接着剤８３はこの導体層８４とキャップ８２の外周面８５とに亘る隅部に塗布されて形成される。
【０００７】
キャップの８２の外側に接着剤８３を塗布してキャップ８２を配線基板８１に固定する構造では、キャップ８２の外周縁から配線基板８１の外周縁に至る間隔（距離）が、接着剤８３の塗布のため、例えば、最小でも２ｍｍ程度必要であり、半導体装置の小型化を妨げるものであった。また、四角形体のキャップの各辺を接着剤で固定するような場合、手作業では作業時間も長くなり、製造コストも高騰してしまう難点があった。
【０００８】
本発明の目的は、小型の半導体装置及びその製造方法を提供することにある。
【０００９】
本発明の他の目的は、半導体装置の製造コストの低減を図ることにある。
【００１０】
本発明の前記ならびにそのほかの目的と新規な特徴は、本明細書の記述および添付図面からあきらかになるであろう。
【課題を解決するための手段】
【００１１】
本願において開示される発明のうち代表的なものの概要を簡単に説明すれば、下記のとおりである。
【００１２】
（１）半導体装置は、
第１の面に電子部品の電極に接続される電極パッドが複数設けられ、前記第１の面の反対面となる第２の面に電子部品の電極に接続される電極パッド及び外部電極端子が複数設けられ、前記外部電極端子及び前記電極パッドは必要に応じて配線によって電気的にそれぞれ接続されており、かつ前記第１の面の周縁には前記周縁に沿ってグランド層が設けられてなる配線基板と、
前記配線基板の前記第１の面及び前記第２の面に電極を介して前記電極パッドに接続される少なくとも一つの電子部品と、
前記配線基板の前記第１の面に接続される前記電子部品を覆うように前記配線基板に導電性の接着剤を介して固定される一面が開口した箱状の導電体からなるキャップと、
前記外部電極端子に重ねて形成された突起電極とを有し、
前記キャップの開口端面は前記グランド層に対面し、前記接着剤は前記グランド層の表面と前記キャップの開口端面との間に介在されている構造になっている。
【００１３】
また、前記配線基板の縁には二つ以上の窪みが設けられ、前記キャップには前記窪みに対応する突起が設けられ、前記キャップは前記突起を前記窪みに嵌合させて固定されている。前記配線基板の前記第１の面に前記キャップを固定しても目視できる方向識別用マークが設けられている。前記キャップの外周縁から前記配線基板の外周縁に至る距離が０．２ｍｍ〜０．５ｍｍ以下である。前記電子部品の一部は一面に複数の電極を有する半導体チップであり、前記電子部品の一部は両端に電極を有するチップ型電子部品である。
【００１４】
このような半導体装置は下記の製造方法によって製造される。半導体装置は、
（ａ）第１の面及び前記第１の面の反対面となる第２の面を有し、かつ製品形成部がマトリックス状に配列された配線母基板を準備する工程を有し、
前記製品形成部は、前記配線母基板の枠部から延在する複数の支持片に支持された四角形の配線基板となり、前記配線基板は、第１の面に電子部品の電極に接続される電極パッドが複数設けられ、前記第１の面の反対面となる第２の面に電子部品の電極に接続される電極パッド及び外部電極端子が複数設けられ、前記外部電極端子及び前記電極パッドは必要に応じて配線によって電気的にそれぞれ接続されており、かつ前記第１の面の周縁には前記周縁に沿ってグランド層が設けられる構造となり、
（ｂ）前記各製品形成部に対して、前記第１の面及び前記第２の面に、前記電極パッドに電極を接続することによって少なくとも一つの電子部品をそれぞれ接続する工程と、
（ｃ）前記各製品形成部に対して、一面が開口した箱状の導電体からなるキャップの開口端面を前記グランド層に対面させ、この対面間に予め介在させる導電性の接着剤で前記キャップを前記配線基板に固定して前記配線基板の前記第１の面に接続される前記電子部品を覆う工程と、
（ｄ）前記各製品形成部に対して、前記外部電極端子に重ねて突起電極を形成する工程と、
（ｅ）前記各製品形成部に対して、前記支持片を切断して前記配線基板を個片化する工程とによって製造される。
【００１５】
また、前記工程（ｃ）において、前記キャップの開口端面に前記接着剤を塗布し、または前記グランド層の表面に前記接着剤を塗布し、その後前記キャップを前記配線基板に重ねた後、少なくとも前記接着剤部分を一時的に加熱処理し、前記キャップを前記配線基板に固定する。
【００１６】
また、前記製品形成部の前記配線基板の縁に二つ以上の窪みを設けるとともに、この窪みに嵌合する突起を前記キャップに設けておき、前記キャップを前記製品形成部に固定する際、前記キャップの前記突起を前記窪みに嵌合させて前記キャップを固定する。
【００１７】
また、前記製品形成部の前記配線基板の前記第１の面に前記キャップを固定しても目視できる方向識別用マークを設けておき、前記キャップの固定時には前記マークを基準にして前記キャップの位置を決定し、その後前記接着剤で前記キャップを前記配線基板に固定する。
【００１８】
また、前記各製品形成部において、前記キャップの外周を構成する辺から前記配線基板の外周を構成する辺との間隔を０．２ｍｍ〜０．５ｍｍ以下に形成する。
【００１９】
また、前記各製品形成部の前記第１の面及び第２の面に接続する前記電子部品は、一面に複数の電極を有する半導体チップや両端に電極を有するチップ型電子部品である。
【発明の効果】
【００２０】
本願において開示される発明のうち代表的なものによって得られる効果を簡単に説明すれば、下記のとおりである。
【００２１】
前記（１）の手段によれば、（ａ）半導体装置のキャップは、配線基板の周縁に沿って設けられたグランド層上に接着剤を介して付き合わせ状態で接続されるため、キャップの外側に張り出す配線基板の長さは０．５ｍｍ以下と短くなり、従来の２ｍｍ程度に比較して半導体装置の小型化が可能になる。
【００２２】
（ｂ）配線基板とキャップの接続は、キャップの開口端面または配線基板のグランド層の表面に塗布した接着剤を利用する付き合わせ接続であることから、作業性が良好になり、接続時間の短縮が可能になる。
【００２３】
（ｃ）配線基板とキャップの接続においては、配線基板に設けた窪みにキャップの突起を嵌合させて位置決め固定することから、接続の作業性が向上するとともに正確な接続が可能になる。この結果、歩留りが向上し、製品コストの低減を図ることができる。
【００２４】
（ｄ）キャップに開口部を形成し、この開口部に背の高いチップ型電子部品を位置させる。これにより、背の高いチップ型電子部品と金属からなるキャップのショート不良の発生を抑止できるとともに、キャップを薄型化できる。この結果、半導体装置の薄型化が達成できる。
【００２５】
（ｅ）配線基板にはキャップを固定しても目視できる方向識別用マークが設けられていることから、キャップ接続作業の際便利である。
【００２６】
（ｆ）キャップは導電体で形成され、かつ導電性接着剤を介して配線基板のグランド層に接続されることから、キャップに覆われる電子部品の電磁シールド化が可能になり、半導体装置は安定動作するようになる。
【００２７】
（ｇ）半導体装置の製造において、複数の製品形成部を有するマトリックス状配線母基板を使用することから、一度に複数の半導体装置を製造することがきて、製品コストが軽減する。
【発明を実施するための最良の形態】
【００２８】
以下、図面を参照して本発明の実施の形態を詳細に説明する。なお、発明の実施の形態を説明するための全図において、同一機能を有するものは同一符号を付け、その繰り返しの説明は省略する。
【実施例１】
【００２９】
図１乃至図１３は本発明の実施例１である半導体装置及びその製造方法に係わる図である。図１乃至図６は本実施例１の半導体装置の構造を示す図である。図１は半導体装置の平面図、図２は半導体装置の底面図、図３は図１のＡ−Ａ線に沿う拡大断面図、図４は配線基板とキャップの接続状態を示す一部の拡大断面図、図５はキャップを付けない本実施例１の半導体装置の平面図、図６は本実施例１の半導体装置の模式的断面図である。
【００３０】
本実施例１の半導体装置１は、図１及び図３に示すように、外観的には、平板状の配線基板（パッケージ基板）２と、この配線基板２の第１の面２ａ側（図３では上面）に取り付けられる箱型のキャップ３とからなっている。
【００３１】
配線基板２は、例えば、ガラス・エポキシ樹脂基板で形成されている。配線基板２は、四角形状となり、キャップ３で覆われる第１の面２ａには半導体部品４、例えばＢＧＡ等（電子部品）やチップ型電子部品５が固定されている。配線基板２の第１の面２ａの反対面となる第２の面２ｂに、半導体チップ（電子部品）６が接続されている。半導体チップ６はその電極を介して配線基板２に接続される構造（フリップチップボンディング）になっている。配線基板２の下面に接続された半導体チップ６は、そのフリップチップ面側に絶縁性樹脂からなるアンダーフィル樹脂７が充填されている。この結果、半導体チップ６の電極８（図６参照）はアンダーフィル樹脂７によって囲まれて保護されている。
【００３２】
半導体チップ６は、配線基板２の第２の面２ｂの中央に位置する構造になっている。そして、この半導体チップ６の外側の配線基板２の領域には、半導体チップ６を囲むように複数の外部電極端子１０が設けられている。外部電極端子１０は、四角形の配線基板２の各辺に沿って一列に並んで配列されている（図２参照）。
【００３３】
外部電極端子１０は、配線基板２の第２の面２ｂに設けられた板状の電極となっている。本実施例１では、この板状の電極上に突起電極１１を形成した構造になっている。突起電極１１は、例えば、半田ボールによって形成されている。半田ボールによる電極、即ち、バンプ電極を形成しない場合には、外部電極端子１０をそのまま外部電極端子として使用することも可能である。外部電極端子１０は板状であることから、外部電極端子はＬＧＡ（ランド・グリッド・アレイ）構造となる。
【００３４】
突起電極１１の配線基板２からの突出高さは、半導体チップ６の厚さよりも大きくなり、半導体装置１は実装基板等に実装する際、確実に実装できるようになっている。
【００３５】
半導体装置１を実装基板に搭載（実装）する際、配線基板２に固定される半田等の接着剤は軟化したり、あるいは溶融することは部品接続の信頼性が損なわれるため好ましくない。このため、本実施例１の半導体装置１の突起電極１１は融点が２２０℃のもの（例えば、Ｐｂフリー半田）を使用し、配線基板２に固定する半導体部品４及び半導体チップ６及びチップ型電子部品５の接続に用いる接着剤は融点が１８３℃のもの（例えば、ＰｂＳｎ半田）を使用するキャップ３は金属（導電性）によって形成され、下面側が開口した箱型構造となっている。四角形枠となるキャップ３の周辺のうち、対面する一対の辺のそれぞれの中央には下方に向かって延在する突起１５が設けられている。この一対の突起１５は、配線基板２の対面する一対の辺の中央部分にそれぞれ設けられた窪み１６に嵌合するようになっている（図３右端参照）。窪み１６に対して突起１５は所定の嵌め合い寸法に形成されることから、突起１５を窪み１６に挿入することによって、キャップ３の取り付け位置が一義的に決まるようになっている。
【００３６】
また、キャップ３の前記突起１５から外れた開口端面は、配線基板２の周縁近傍に対面して重なるようになっている。キャップ３の開口端面が重なる配線基板２の表面にはグランド層１７が設けられている。この結果、キャップ３の開口端面に予め付着させておいた接着剤１８によってキャップ３の開口端面はグランド層１７に接続される（図３左端及び図４参照）。図５は配線基板２の第１の面２ａに設けたグランド層１７を示す図である。グランド層１７は配線基板２の周縁に広がる点々を施した領域である。また、図５において、キャップ３を二点鎖線で示してある。２本の二点鎖線による間がキャップ３の開口端面である。キャップ３の開口端面は窪み１６以外の配線基板２の部分では、グランド層１７上に重なり合い、窪み１６では嵌合状態となっている。
【００３７】
キャップ３は配線基板２に付き当てて接着剤１８によって接続する構造となることから、図１６に示すように、キャップ８２の外周面８５側を接着剤８３で固定する構造に比較して、キャップ３からの配線基板２の張り出し長さを短くすることができる。即ち、図１６の場合は、張り出し長さが２ｍｍ程度であるのに対して、本実施例１の場合には、張り出し長さａ（図４参照）は０．５ｍｍ以下とすることができる。
【００３８】
また、配線基板２の第１の面２ａの一隅には方向識別用マーク１９が設けられている。この方向識別用マーク１９は、図５及び図１においては左上隅に三角形のマークとして表示されている。この方向識別用マーク１９は、キャップ３の取り付けの前後で確認できるように、一部はキャップ３の取り付けた後でもキャップ３から外側にはみ出るパターンになっている。
【００３９】
一方、キャップ３は図１及び図３に示すように、部分的に開口部２０が設けられている。この開口部２０は、背の高いチップ型電子部品５の搭載箇所に対応して設けられている。そして、背の高いチップ型電子部品５の上部は開口部２０内に位置する。この開口部２０の採用によって、背の高いチップ型電子部品５とキャップ３とのショートを防止することができる。また、開口部２０の採用によって、全ての電子部品を覆う構造に比較して、キャップ３は低く形成できる。即ち、背の高いチップ型電子部品５をキャップ３の開口部２０内に突出させることから、背の高いチップ型電子部品５よりもキャップ３を低くすることが可能になり、キャップ３の被覆高さを低くでき、結果として半導体装置１の薄型化が達成できることになる。
【００４０】
つぎに、本実施例１の半導体装置の製造方法について説明する。図７乃至図１３は実施例１の半導体装置の製造方法に係わる図である。図７（ａ）〜（ｃ）は配線母基板準備から電子部品接続までの各工程の状態を示す断面図、図８（ａ）〜（ｃ）はキャップ固定から配線母基板分割までの各工程の状態を示す断面図である。
【００４１】
半導体装置１の製造においては、図７（ａ）及び図９に示す配線母基板３０が準備される。配線母基板３０は、半導体装置を製造する四角形状の製品形成部３１を縦横に整列配置した構造になっている。図９は配線母基板３０の第１の面３０ａを示すものである。図９においては、製品形成部３１は、その概要を示す図である。半導体装置１を製造する製品形成部３１は、左右を細い支持片３２，３３で支持される四角形体を有している。支持片３２，３３を形成するために、配線母基板３０には屈曲した２本の溝３４，３５が形成されている。前記四角形体は、支持片３２，３３との付け根で切断されると、既に説明した配線基板２となる。そこで、この四角形体部分の説明は省略する。また、製品形成部３１の四角形体部分も配線基板２と呼称する。配線基板２の第１の面２ａが配線母基板３０の第１の面３０ａとなる。また、配線母基板３０の周縁部分には、この配線母基板３０を搬送したり、位置決めしたりする際使用されるガイド孔３０ｄ，３０ｅが設けられている。
【００４２】
図１０（ａ），（ｂ）は製品形成部３１の表裏を示す図である。図１０（ａ）は製品形成部３１の第１の面３０ａを示す平面図であり、配線基板２の第１の面２ａが示されている。図１０（ｂ）は製品形成部３１の第２の面３０ｂを示す平面図であり、配線基板２の第２の面２ｂが示されている。
【００４３】
図１０（ａ）に示すように、配線基板２の周縁に沿ってグランド層１７が設けられている。そして、このグランド層１７の内側の領域には、半導体部品４の電極１２を接続するための電極パッド１３及びチップ型電子部品５の両端の電極を接続する電極パッド１３が配置されている。また、配線基板２の左上には方向識別用マーク１９が設けられている。また、配線基板２の両側の辺中央には窪み１６が設けられている。
【００４４】
図１０（ｂ）に示すように、配線基板２の中央には半導体チップ６の電極８が接続される電極パッド１３が矩形枠列状に複数配置されるとともに、配線基板２の各辺に沿って辺の近傍には外部電極端子１０が配列されている。
【００４５】
図１１は、配線基板２の支持構造が異なる製品形成部３１の他の例である。配線基板２の両側に設ける窪み１６を各辺の一方の外れに設け、四角形の配線基板２の各辺の中央部分を支持片３２ａでそれぞれ支持するパターンである。窪み１６の位置が変わるだけで、他の構造は実施例１の場合と同様である。なお、図示しないが、この変形例によって製造する半導体装置においては、当然ながらキャップ３の突起の位置は、図１１の配線基板２の窪み１６の位置に一致させる必要がある。
【００４６】
つぎに、図７（ｂ）に示すように、配線基板２の第２の面２ｂを上面とした状態で半導体チップ６をフリップチップボンディングするとともに、絶縁性樹脂からなるアンダーフィル樹脂７でフリップチップ接続面側の隙間を塞ぐ。なお、図７（ａ）〜（ｃ）及び図８（ａ），（ｂ）は単一の製品形成部３１を拡大して示す断面図である。
【００４７】
つぎに、図７（ｃ）に示すように、第１の面２ａを上面とした状態で半導体部品４及びチップ型電子部品５を配線基板２の上面に搭載（接続）する。半導体部品４の電極１２を図１０（ａ）の電極パッド１３に接続するとともに、チップ型電子部品５の両端の電極を図１０（ａ）の一対の電極パッド１３に接着剤９によって接続する（図６参照）。図１２が半導体部品４及びチップ型電子部品５の搭載した状態を示す平面図である。
【００４８】
つぎに、図８（ａ）に示すように、キャップ３を各製品形成部３１に取り付ける。即ち、キャップ３の突起１５を配線基板２の両側の窪み１６に挿入する［図８（ａ）右端参照］。キャップ３の両側の一対の突起１５は、配線基板２の両側中央の窪み１６に挿入された時点で配線基板２を弾力的にクランプするようになる。このクランプ作用によってキャップ３は、図１３の紙面横方向の位置決めがなされる。また、図１３の紙面上下方向の位置は、突起１５が窪み１６に嵌合することによって決まる。このキャップ３の取り付け時、取り付け前にキャップ３の開口端面に接着剤１８を塗布しておくことによって、キャップ３の開口端面と配線基板２のグランド層１７との間に接着剤１８が介在するようになる。そこで、所定時間硬化処理を行い、前記接着剤１８を硬化させる。これにより、キャップ３は配線基板２の第１の面２ａ側に取り付けられることになる。実施例１では、キャップ３の開口端面に接着剤１８を予め塗布するとしたが、配線基板２の所定のグランド層１７上に接着剤１８を塗布しておいてもよい。そして、キャップ３をグランド層１７上に重ねた時点で接着剤１８をリフロー（一時溶融）して接続を行ってもよい。
【００４９】
つぎに、図８（ｂ）に示すように、第１の面３０ａが上面となる状態にして、外部電極端子１０上に突起電極１１を形成する。例えば、外部電極端子１０上に半田ボールを載せ、その後半田ボールを溶かしてバンプ電極を形成する。突起電極１１の突出高さは半導体チップ６の厚さ以上となる。
【００５０】
つぎに、各製品形成部３１において、配線基板２を支持する支持片３２，３３を配線基板２の付け根で切断し、図８（ｃ）に示すように、複数の半導体装置１を製造する。
【００５１】
本実施例１によれば、以下の効果を有する。
【００５２】
（１）半導体装置１のキャップ３は、配線基板２の周縁に沿って設けられたグランド層１７上に接着剤１８を介して付き合わせ状態で接続されるため、キャップ３の外側に張り出す配線基板２の長さは０．５ｍｍ以下と短くなり、従来の２ｍｍ程度に比較して半導体装置１の小型化が可能になる。
【００５３】
（２）配線基板２とキャップ３の接続は、キャップ３の開口端面または配線基板２のグランド層１７の表面に塗布した接着剤１８を利用する付き合わせ接続であることから、作業性が良好になり、配線基板２とキャップ３の接続時間の短縮が可能になる。
【００５４】
（３）配線基板２とキャップ３の接続においては、配線基板２に設けた窪み１６にキャップ３の突起１５を嵌合させて位置決め固定することから、接続の作業性が向上するとともに正確な接続が可能になる。この結果、半導体装置１の製造歩留りが向上し、製品コストの低減を図ることができる。
【００５５】
（４）キャップ３に開口部２０を形成し、この開口部２０に背の高いチップ型電子部品５を位置させる。これにより、背の高いチップ型電子部品５と金属からなるキャップ３のショート不良の発生を抑止できるとともに、キャップ３を薄型化できる。この結果、半導体装置１の薄型化が達成できる。
【００５６】
（５）配線基板２にはキャップ３を固定しても目視できる方向識別用マーク１９が設けられていることから、キャップ接続作業の際便利である。
【００５７】
（６）キャップ３は導電体（金属）で形成され、かつ導電性接着剤１８を介して配線基板２のグランド層１７に接続されることから、キャップ３に覆われる電子部品の電磁シールド化が可能になり、半導体装置１は安定動作するようになる。
【００５８】
（７）半導体装置１の製造において、複数の製品形成部３１を有するマトリックス状配線母基板３０を使用することから、一度に複数の半導体装置１を製造することが出来て、製品コストが軽減する。
【実施例２】
【００５９】
図１４及び図１５は本発明の実施例２である半導体装置に係わる図である。図１４は半導体装置の正面図、図１５は半導体装置の模式的斜視図である。
本実施例２の半導体装置１は、実施例１の半導体装置１において、四角形の箱からなるキャップ３の少なくとも１隅は前記四角形の隣接する２辺にそれぞれ交差する平坦な面取面４０で形成した構造になっている。即ち、四角形のキャップ３の角部を四角形のキャップ３の一辺に４５度傾いた平坦な面取面４０としたものである。これにより、キャップ３の強度が向上する。２ヶ所以上に面取面を設けることも可能である。また、平坦な面取面４０の外側に方向識別用マーク１９が位置するようにして、方向識別用マーク１９を認識しやすいようになっている。
【００６０】
本実施例２の半導体装置１も前記実施例１と同様に、半導体装置１の小型・薄型化等の効果を有する。
以上本発明者によってなされた発明を実施例に基づき具体的に説明したが、本発明は上記実施例に限定されるものではなく、その要旨を逸脱しない範囲で種々変更可能であることはいうまでもない。
【図面の簡単な説明】
【００６１】
【図１】本発明の実施例１である半導体装置の平面図である。
【図２】本実施例１の半導体装置の底面図である。
【図３】図１のＡ−Ａ線に沿う拡大断面図である。
【図４】配線基板とキャップの接続状態を示す一部の拡大断面図である。
【図５】キャップを付けない本実施例１の半導体装置の平面図である。
【図６】本実施例１の半導体装置の模式的断面図である。
【図７】本実施例１の半導体装置の製造方法における配線母基板準備から電子部品接続までの各工程の状態を示す断面図である。
【図８】本実施例１の半導体装置の製造方法におけるキャップ固定から配線母基板分割までの各工程の状態を示す断面図である。
【図９】本実施例１の半導体装置の製造方法で使用する配線母基板の模式的平面図である。
【図１０】前記配線母基板の製品形成部の第１及び第２の面を示す模式図である。
【図１１】本実施例１の変形例である配線母基板における製品形成部の第１の面を示す模式図である。
【図１２】本実施例１において製品形成部の第１の面に電子部品を接続した状態を示す平面図である。
【図１３】本実施例１において製品形成部の第１の面にキャップを固定した状態を示す平面図である。
【図１４】本発明の実施例２である半導体装置の正面図である。
【図１５】本実施例２の半導体装置の模式的斜視図である。
【図１６】本発明に先立つ半導体装置の製造におけるキャップ固定状態を示す一部の断面図である。
【符号の説明】
【００６２】
１…半導体装置、２…配線基板、２ａ…第１の面、２ｂ…第２の面、３…キャップ、４…半導体部品、５…チップ型電子部品、６…半導体チップ、７…アンダーフィル樹脂、８…電極、９…接着剤、１０…外部電極端子、１１…突起電極、１２…電極、１３…電極パッド、１５…突起、１６…窪み、１７…グランド層、１８…接着剤、１９…方向識別用マーク、２０…開口部、３０…配線母基板、３０ａ…第１の面、３０ｂ…第２の面、３０ｄ，３０ｅ…ガイド孔、３１…製品形成部、３２，３２ａ，３３…支持片、３４，３５…溝、４０…平坦な面取面、８０…半導体装置（混成集積回路装置）、８１…配線基板、８２…キャップ、８３…接着剤、８４…導体層、８５…外周面
【図１】
2006245396.tif 000003
【図２】
2006245396.tif 000004
【図３】
2006245396.tif 000005
【図４】
2006245396.tif 000006
【図５】
2006245396.tif 000007
【図６】
2006245396.tif 000008
【図７】
2006245396.tif 000009
【図８】
2006245396.tif 000010
【図９】
2006245396.tif 000011
【図１０】
2006245396.tif 000012
【図１１】
2006245396.tif 000013
【図１２】
2006245396.tif 000014
【図１３】
2006245396.tif 000015
【図１４】
2006245396.tif 000016
【図１５】
2006245396.tif 000017
【図１６】
2006245396.tif 000018